(57)【要約】
【課題】　安全性および安定性を向上させ、休憩機能を有する引伸ばし機能を有するベッドを提供する。
【解決手段】　フロントベッド枠１、リアベッド枠２、中間支持枠３、フロントマットレス４、リアマットレス５、引伸ばし機構６、足載せ機構７からなる。フロントベッド枠１の両側の内縁にレール１５を設ける。リアベッド枠２の後方の両側に案内溝２５を設け、後方に弾力パーツ２１の一端部を組み設ける。フロントマットレス４の両側の下方に滑車台４１、滑車４２を設ける。引伸ばし機構６はモーター６１、コントローラー６２、外側パイプ６３、ハンドルパイプ６４、二つのハンドル６５、二つの引っ掛けアーム６６からなる。足載せ機構７は可動枠７１、ペダル７２、支持レバー７３からなる。モーター６１が動作するとハンドルパイプ６４を連れて前へ移動し、徐々に引伸ばす。フロントマットレス４は対応して滑り出し、足載せ機構が対応して位置を移動する。
【選択図】　　図１
0003099998.tif 000002
【実用新案登録請求の範囲】
【請求項１】
　フロントベッド枠、リアベッド枠、フロントマットレス、引伸ばし機構、足載せ機構からなり、且そのフロントベッド枠、リアベッド枠の下方に其々フロントレッグ枠、リアレッグ枠を設けて、且上方に其々フロントマットレス、リアマットレスを設け、
　リアベッド枠の後方に所定の応力を備える弾力パーツを設け、
　引伸ばし機構はハンドルを有し、且ハンドルは前後へ伸縮するように制御可能であり、
　ハンドルはフロントベッド枠の前方に設けられ、且手で握るものであり
　足載せ機構は足がそれに引っ掛けるように形成され、且リアベッド枠の弾力パーツと接合し、且ベッド枠と対応して位置が移動可能であり、
　人体がベッドに横臥する時に足載せ機構に足を引っ掛けることが可能であり、且手でハンドルを持ち上げて引伸ばし機構を使用しハンドルを前へ移動させ、体全体をそれと対応して引伸ばし、且足載せ機構の受けた張力はリアベッド枠の弾力パーツの応力より大きくなると適当にその弾力パーツを引伸ばすことが可能であり、足載せ機構を対応するように動かせると復帰弾力も生じるために引伸ばす動作に弾力を緩和する安全性を与え、全身の機能を活性化にしたり、脊椎を矯正したりすることが可能であることを特徴とする引伸ばし機能を有するベッド。
【請求項２】
　フロントベッド枠の内側にフロントマットレスが滑ることが可能であるレールを設け、且後方に弾力パーツの一端部と組み設ける接合部を設け、
　フロントマットレスの両側の下方に滑車台、滑車を設け、その滑車は前述したレールを滑るものであり、
　フロントマットレスに前述した弾力パーツのもう一端部と接合する接合部を設けることで、人体の重心がフロントマットレスにかかるようになり、引伸ばし機構が動き出すとフロントマットレスはフロントベッド枠と対応して位置を移動可能となり、且弾力パーツを引伸ばし可能であるために復帰弾力が生じることを特徴とする請求項１記載の引伸ばし機能を有するベッド。
【請求項３】
　引伸ばし機構はモーター、コントローラー、外側パイプ、ハンドルパイプ、二つのハンドルからなり、
　そのモーターはフロントベッド枠の下方に設けられ、前端に伸縮レバーを設け、且伸縮レバーの端部に弾力留め金を設け、
　そのモーターはコントローラーによって制御され、そのコントローラーはモーターの正回転、逆回転を制御可能で設定された行程にわたって伸縮レバーの伸縮動作を繰り返すように制御し、
　外側パイプはフロントベッド枠と平行に固着で設けられ、ハンドルパイプの接合レバーが外側パイプの中を貫き、
　ハンドルパイプには接合レバーが設けられ、接合レバーの一端には前述の伸縮レバーの留め金と止めるための止め合わせ孔を設け、
　ハンドルパイプの前端にジョイントパイプを設け、且そのジョイントパイプにはフロントベッド枠の水平、垂直方向と対応して其々定位孔を設け、
　二つのハンドルの一端に接合部を設け、もう一端に手持ち部を彎曲に設け、その接合部に弾力留め金を設け、且ハンドルの接合部を前述のジョイントパイプの中に通過するように構成させ、弾力留め金によって適当な定位孔と止め合わせることを特徴とする請求項１記載の引伸ばし機能を有するベッド。
【請求項４】
　引伸ばし機構は二つの引っ掛けアームを有し、その二つの引っ掛けアームの一端に人体の腋窩が引っ掛けるための引っ掛け部が設けられ、もう一端には留め金を枢設し、且その留め金によってハンドルの手持ち部と止め合わせ可能であることを特徴とする請求項３記載の引伸ばし機能を有するベッド。
【請求項５】
　リアベッド枠の両側に案内溝を設け、
　足載せ機構は可動枠、ペダル、支持レバーからなり、その可動枠は微少な∩型を呈し、リアベッド枠の後方に設けられ、両側の中央に連結レバーが設けられ、その連結レバーの端部に可動枠の両側と接合するためのレバーを組み設け、連結レバー及びレバーの端部がリアベッド枠の案内溝を貫き、且案内溝と対応になる位置に滑車を設け、
　端部において定位片を設け、可動枠を展開したり折り畳んだりする時、定位片のそれと対応する位置に其々当て止め部を設け、
　その連結レバーはリアベッド枠の弾力パーツのもう一端部と接合し、
　ペダルは可動枠の後方に固着に設けられ、
　支持レバーは可動枠の前方に設け、両側に枢レバーを設けて其々可動枠の両側と枢接し、且その支持レバーの両端にリアマットレスの上を転がるためのローラーを設けていることを特徴とする請求項１記載の引伸ばし機能を有するベッド。
【請求項６】
　足載せ機構の可動枠、ペダル、支持レバーの上にクッションを設けることを特徴とする請求項５記載の引伸ばし機能を有するベッド。
【考案の詳細な説明】
【技術分野】
【０００１】
　本考案は、引伸ばし機能を有するベッドに関する。
【背景技術】
【０００２】
　人間は長時間わたって座ったり、立ったりする姿勢が不正確になったり、運動不足であったり、体の機能が老化したりする。このとき脊椎骨が彎曲になることを齎すために適度に体を伸ばすと疲れが取れる外、更に脊椎の彎曲と老化も防止可能である。
【０００３】
　図１０に示すように従来知られた、脊椎骨を矯正するための脊椎矯正装置は主として一つの枠本体１’、一つの横臥板２’、一つの足載せ３’からなる。その横臥板２’の中央は枠本体１’と枢接するように組み合わせて、足載せ３’は横臥板 ２’の一端に設ける。このために使用者は横臥板 ２’に横になった時、足部を足載せ３’に引っ掛けて、且横臥板２’を足が上へ、頭が下へという架空姿勢に回転させるために人体の重量によって体を引伸ばすことが可能で、且背中の脊椎を引伸ばして矯正する。
【考案の開示】
【考案が解決しようとする課題】
【０００４】
　しかしながら前述の構造では使用する時に足が上へ、頭が下へという姿勢を保つ必要があるために長時間に使用すると頭部が充血になって快適ではない状況を齎す外、使用者の足部が足載せ３’に安定に引っ掛かっていない場合、人体が横臥板 ２’から滑り落ちる危険を齎す虞がある。又その横臥板２’では使用者が水平の位置に寝そべることができないために普段一休みしたい時、凭れかけることのできる休憩機能を持たないのである。
【０００５】
　したがって本考案の目的は、安全性および安定性を向上させ、休憩機能を有する引伸ばし機能を有するベッドを提供することにある。
【課題を解決するための手段】
【０００６】
　上述の目的を達成するために、本考案の請求項に記載の引伸ばし機能を有するベッドは、フロントベッド枠、リアベッド枠、中間支持枠、フロントマットレス、リアマットレス、引伸ばし機構、足載せ機構からなる。フロントベッド枠の両側の内縁にレールを設け、後方に弾力パーツの一端部を組み設ける。リアベッド枠の後方の両側に案内溝を設け、後方に弾力パーツの一端部を組み設ける。フロントマットレスの両側の下方に滑車台、滑車を設け、後方はフロントベッド枠の弾力パーツのもう一端部と接合する。引伸ばし機構はモーター、コントローラー、外側パイプ、ハンドルパイプ、二つのハンドル、二つの引っ掛けアームからなる。足載せ機構は可動枠、ペダル、支持レバーからなり、可動枠はリアベッド枠の弾力パーツのもう一端部と接合している。それによってモーターが動作するとハンドルパイプを連れて前へ移動し、徐々に引伸ばしていく。フロントマットレスは対応して滑り出し、且足載せ機構の可動枠が受けた引伸ばし動作の張力はリアベッド枠の弾力パーツの応力より大きくなると弾力パーツを適当に引伸ばすことが可能となる。足載せ機構が対応して位置を移動することによって弾性が緩和可能な安全性を備える。使用しない場合、フロントベッド枠、リアベッド枠を内へ折り合わせることができるために全体の体積が大幅に縮小できて収納にも便利である。
【考案を実施するための最良の形態】
【０００７】
　以下、本考案の実施例を図面に基づいて説明する。
　図１、図２に示すように、本考案の実施例による引伸ばし機能を有するベッドは、フロントベッド枠１、リアベッド枠２、中間支持枠３、フロントマットレス４、リアマットレス５、引伸ばし機構６、足載せ機構７からなる。フロントベッド枠１の一端は中間支持枠３と枢接に組み合わせる。弾力パーツ１１を連続に設けて中間支持枠３と接合する。前方にフロントレッグ枠１２を設け、且フロントベッド枠１及びフロントレッグ枠１２に定位孔１３、１２１を設け、ピン１４によって差し入れて定位可能とする。フロントベッド枠１の両側の内縁にフロントマットレス４が滑るためのレール１５を設け、後方に弾力パーツ１７の一端部１７１を組み合わせるための接合部１６を設ける。
【０００８】
　リアベッド枠２は一端が中間支持枠３と枢接に組み合わせ、弾力パーツ２１を連続に設けて中間支持枠３と接合して、且両側に取っ手２２を設ける。後方にリアレッグ枠２３を枢設し、リアベッド枠２に定位孔２４を設ける。リアベッド枠２の後方の両側に細長い案内溝２５を設け、後方に弾力パーツ２７の一端部２７１を組み設けるための接合部２６を設ける。その弾力パーツ２７は所定の応力を有する。
【０００９】
　フロントマットレス４はフロントベッド枠１の長さより長くするように設け、両側の下方の、前述のレール１５と対応する位置に滑車台４１、滑車４２を設け、且後方にフロントベッド枠１の弾力パーツ１７のもう一端部１７２と接合するための接合部４３を設ける。
【００１０】
　リアマットレス６はリアベッド枠２の上に置き、足載せ機構７を置くことも可能である。
【００１１】
　引伸ばし機構６はモーター６１、コントローラー６２、外側パイプ６３、ハンドルパイプ６４、二つのハンドル６５、二つの引っ掛けアーム６６からなる。そのモーター６１はフロントベッド枠１の下方に設けられ、前端に伸縮レバー６１１を設け、且伸縮レバー６１１の端部に弾力留め金６１２を設ける。そのモーター６１はコントローラー６２によって制御される。そのコントローラー６２は変圧器６２１、制御回路版６２２、手動制御器６２３を備え、モーター６１の正回転、逆回転を制御するための伸縮レバー６１１を設定された行程にわたって伸縮させるように制御可能である。外側パイプ６３はフロントベッド枠１と平行して固着に設け、外側パイプ６３の中を後述のハンドルパイプ６４にある接合レバー６４１が挿入する。ハンドルパイプ６４に接合レバー６４１を設け、接合レバー６４１の一端に前述の伸縮レバー６１１の留め金６１２と止め合わせるための止め合わせ孔６４２を設ける。ハンドルパイプ６４の前端にジョイントパイプ６４３を設け、そのジョイントパイプ６４３の、フロントベッド枠１の水平、垂直方向と対応する個所に定位孔６４４、定位孔６４５を設ける。二つのハンドル６５の一端に接合部６５１を設け、もう一端に手持ち部６５２を彎曲に設ける。その接合部６５１に弾力留め金６５１１を設けて、接合部６５１を前述のジョイントパイプ６４３の中に挿入して、且弾力留め金６５１１によって適当な定位孔６４４または定位孔６４５と止め合わせる。二つの引っ掛けアーム６６の一端には人体の腋窩を引っ掛けるための引っ掛け部６６１を有し、且もう一端に留め金６６２を枢設し、その留め金６６２によってハンドル６５の手持ち部６５２を止め合わせることが可能である。
【００１２】
　足載せ機構７は可動枠７１、ペダル７２、支持レバー７３からなる。その可動枠７１はちょっと∩型を呈し、リアベッド枠２の後方に設ける。両側の中央に連結レバー７１１を設けて、その連結レバー７１１の端部にレバー７１２を固着に設けて可動枠７１の両側と接合する。連結レバー７１１及びレバー７１２の端部がリアベッド枠２の案内溝２５を貫通して、案内溝２５と対応する位置に滑車７１３を設ける。端部に定位片７１４を組み設け、可動枠７１が展開したり折り畳んだりする時に定位片７１４のそれと対応する位置に其々当て止め部７１５、当て止め部７１６を設ける。その連結レバー７１１はリアベッド枠２の弾力パーツ２７のもう一端部２７２と接合し、可動枠７１の上方に足の甲が寄り掛かるためのクッション７１７を設ける。ペダル７２は可動枠７１のクッション７１４の後方に固着に設けて、足の裏が踏むためのクッション７３１を有する。支持レバー７３は可動枠７１の前方に設け、両側に枢レバー７３１を設けて其々可動枠７１の両側と枢接する。その支持レバー７３の両端にリアマットレス５の上を転がるためのローラー７３２を設け、中央にかかとを支えるためのクッション７３３を設ける。
【００１３】
　図３、図４に示すように、本実施例を実施する時、ハンドル６５の弾力留め金６５１１を、ハンドルパイプ６４と垂直方向に対応する定位孔６４５と接合させ（図の中に示されていないが）、使用者がベッドに横臥する時、足の甲、足の裏、かかとは其々可動枠７１、ペダル７２、支持レバー７３のクッション７１７、クッション７２１、クッション７３３とぴったり引っ掛けるようにさせ、且人体の重心がリアマットレス４にかかるものである。
【００１４】
　図５、図６に示すように、使用者は予め手動制御器６２３を押して行程及び作動時間を設定しておき、手で手持ちのハンドル６５を持ち上げる。引伸ばし機構６のモーター６１を起動させる、ハンドルパイプ６４を連れて前へ移動させながらゆっくりと引伸ばしていく。フロントマットレス４は滑車４２によってフロントベッド枠１のレール１５の上を滑ることが可能である。人体とフロントマットレス４との摩擦を避けるように弾力パーツ１７を引伸ばしていくため、よりよい快適性を持ち、その弾力パーツ１７はフロントマットレス４に復帰動作の弾力が提供可能である。
【００１５】
　その可動枠７１の受けた引伸ばし張力は弾力パーツ２７の応力より大きくなると、適当に弾力パーツ２７を引伸ばす。その連結レバー７１１、レバー７１２の滑車７１３はリアベッド枠２の案内溝２５の上を滑って移動し、それによって滑る順調さが生じる。引伸ばしの動作にもよりよい弾力を緩和する安全性を与え、人体を過度に引伸ばすことも防止可能である。その弾力パーツ２７は足載せ機構７に復帰動作の弾力を提供することが可能である。その支持レバー７２は前へ移動する時、ローラー７３２がリアマットレス５の上を転がることによって動作の順調さが促進され、リアマットレス５の磨耗も防止可能である。そして前述の引伸ばしの動作とは同時に人体の全体に対して引伸ばしを掛けるため、体の機能の活性化及び脊椎の矯正などの効果を持つものになる。
【００１６】
　そのコントローラー６２はハンドル６５が前へ設定した距離まで移動するとモーター６１を逆転させてハンドル６５を後退させ、フロントマットレス４、足載せ機構７は弾力パーツ１７、弾力パーツ２７の弾力によって後退して復帰できるため、引伸ばし、回復などの動作を繰り返すことが可能である。
【００１７】
　図７に示すように、使用者はまた引っ掛けアーム６６の留め金６６２とハンドル６５とを止め合わせることができ、引っ掛けアーム６６を回転することによって引っ掛け部６６１を人体の腋窩に引っ掛けることができるために使用者は手で手持ちハンドル６５を挙げずに引っ掛けアーム６６だけによって引伸ばすことができ、よりよい使用の便利性を持つようになる。
【００１８】
　図８、図９に示すように、本実施例を使わない場合、ハンドル６５の弾力留め金６５１１をハンドルパイプ６４のジョイントパイプ６４３の水平位置にある定位孔６４４と止め合わせることができ（図の中に示されていないが）、連結レバー７１１で固着に設けたレバー７１２を軸心にして足載せ機構７の可動枠７１をリアベッド枠２の下方まで回転させてゆく。当て止め部７１６と当て止めて定位になると、前後端の体積が減少可能である。また中間支持枠３を上昇して、且前後のベッド枠１、ベッド枠２は弾力パーツ１１、弾力パーツ２１の弾力によって内側へ折り合うようになり、ピン１４をリアベッド枠２の定位孔２４に挿入して定位になると全体の体積が大幅に縮小でき、収納の便利性を持つようになる。
【図面の簡単な説明】
【００１９】
【図１】本考案の一実施例による引伸ばし機能を有するベッド構造を示す分解イメージ図である。
【図２】本考案の一実施例による引伸ばし機能を有するベッド構造を示す組み合わせのイメージ図である。
【図３】本考案の一実施例による引伸ばし機能を有するベッド構造で使用者が横臥する時の側から見た状態を示すイメージ図である。
【図４】本考案の一実施例による引伸ばし機能を有するベッド構造で使用者が横臥する時の上から見た状態を示すイメージ図である。
【図５】本考案の一実施例による引伸ばし機能を有するベッド構造で引伸ばし機構が動作する時の側から見た状態を示すイメージ図である。
【図６】本考案の一実施例による引伸ばし機能を有するベッド構造で引伸ばし機構が動作する時の上から見た状態を示すイメージ図である。
【図７】本考案の一実施例による引伸ばし機能を有するベッド構造で引っ掛けアームを組み設ける時の側から見た状態を示すイメージ図である。
【図８】本考案の一実施例による引伸ばし機能を有するベッド構造で足載せ機構の折り合わせを示すイメージ図である。
【図９】本考案の一実施例による引伸ばし機能を有するベッド構造で全体の折り合わせを示すイメージ図である。
【図１０】従来のベッド構造を示すイメージ図である。
【符号の説明】
【００２０】
　１　フロントベッド枠、２　リアベッド枠、３　中間支持枠、４　フロントマットレス、５　リアマットレス、６　引き伸ばし機構、７　足載せ機構、１１　弾力パーツ、１２　フロントレッグ枠、１３　定位孔、１４　ピン、１５　レール、１６　接合部、１７　弾力パーツ、２１　弾力パーツ、２２　取っ手、２３　リアレッグ枠、２４　定位孔、２５　案内溝、２６　接合部、２７　弾力パーツ、４１　滑車台、４２　滑車、４３　接合部、６１　モーター、６２　コントローラー、６３　外側パイプ、６４　ハンドルパイプ、６５　ハンドル、６６　引っ掛けアーム、７１　可動枠、７２　ペダル、７３　支持レバー、１２１　定位孔、１７１　端部、１７２　端部、２７１　端部、２７２　端部、６１１　伸縮レバー、６１２　弾力留め金、６２１　変圧器、６２２　制御回路版、６２３　手動制御器、６４１　接合レバー、６４２　止め合わせ孔、６４３　ジョイントパイプ、６４４　定位孔、６４５　定位孔、６５１　接合部、６５２　手持ち部、６６１　引っ掛け部、６６２　留め金、７１１　連結レバー、７１２　レバー、７１３　滑車、７１４　定位片、７１５　当て止め部、７１６　当て止め部、７１７　クッション、７２１　クッション、７３１　枢レバー、７３２　ローラー、７３３　クッション、６５１１　弾力留め金
【図１】
0003099998.tif 000003
【図２】
0003099998.tif 000004
【図３】
0003099998.tif 000005
【図４】
0003099998.tif 000006
【図５】
0003099998.tif 000007
【図６】
0003099998.tif 000008
【図７】
0003099998.tif 000009
【図８】
0003099998.tif 000010
【図９】
0003099998.tif 000011
【図１０】
0003099998.tif 000012